(57)【要約】【課題】「ＲＲＣ  Ｒｅ-ｅｓｔａｂｌｉｓｈｍｅｎｔ手順」において、Ｕ-ｐｌａｎｅの導通までに時間を短縮することができ、下りリンクにおける制御チャネル（ＰＤＣＣＨ）の浪費を回避する。【解決手段】本発明に係る移動通信方法は、移動局ＵＥが、「ＲＡ  ｒｅｓｐｏｎｓｅ」に応じて、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信する工程と、無線基地局ｅＮＢが、「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、ＳＲＢ１/ＳＲＢ２と共にＤＲＢを設定するように指示する「ＲＲＣ  ｃｏｎｎｅｃｔｉｏｎ  ｒｅ-ｅｓｔａｂｌｉｓｈｍｅｎｔ」を送信する工程とを有する。【選択図】図４
2014107798.tif 000002
【特許請求の範囲】
【請求項１】
移動局が、再接続手順を起動することを決定すると、無線基地局に対して、ランダムアクセスプリアンブルを送信する工程と、
前記無線基地局が、前記ランダムアクセスプリアンブルに応じて、前記移動局に対して、ランダムアクセス応答を送信する工程と、
前記移動局が、前記ランダムアクセス応答に応じて、前記無線基地局に対して、再接続要求を送信する工程と、
前記無線基地局が、前記再接続要求に応じて、前記移動局に対して、シグナリング無線ベアラと共にデータ無線ベアラを設定するように指示する再接続応答を送信する工程とを有することを特徴とする移動通信方法。
【請求項２】
無線基地局であって、
再接続手順において、移動局から再接続要求を受信するように構成されている受信部と、
前記再接続要求に応じて、前記移動局に対して、シグナリング無線ベアラと共にデータ無線ベアラを設定するように指示する再接続応答を送信するように構成されている送信部とを具備することを特徴とする無線基地局。
【請求項３】
移動局であって、
再接続手順において、無線基地局から再接続応答を受信するように構成されている受信部と、
前記再接続応答に含まれている指示に応じて、シグナリング無線ベアラと共にデータ無線ベアラを設定するように構成されている設定部とを具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式では、移動局ＵＥが、無線基地局ｅＮＢとの間の無線リンクにおける異常を検出した場合に、無線基地局ｅＮＢとの間の無線リンクを再確立するために、無線基地局ｅＮＢとの間で「ＲＲＣ  Ｒｅ-ｅｓｔａｂｌｉｓｈｍｅｎｔ手順」を実施することが規定されている（非特許文献１参照）。
【０００３】
以下、図５を参照して、かかる「ＲＲＣ  Ｒｅ-ｅｓｔａｂｌｉｓｈｍｅｎｔ手順」について説明する。
【０００４】
図５に示すように、移動局ＵＥは、ステップＳ２００１において、無線基地局ｅＮＢとの間の無線リンクにおける異常（ＲＬＦ：Ｒａｄｉｏ  Ｌｉｎｋ  Ｆａｉｌｕｒｅ）を検出すると、「ＲＲＣ  Ｒｅ-ｅｓｔａｂｌｉｓｈｍｅｎｔ手順」を起動することを決定し、ステップＳ２００２において、無線基地局ｅＮＢに対して、「ＲＡ（Ｒａｎｄｏｍ  Ａｃｃｅｓｓ）  ｐｒｅａｍｂｌｅ」を送信する。
【０００５】
ステップＳ２００３において、無線基地局ｅＮＢは、「ＲＡ  ｐｒｅａｍｂｌｅ」に応じて、移動局ＵＥに対して、「ＲＡ  ｒｅｓｐｏｎｓｅ」を送信する。
【０００６】
ステップＳ２００４において、移動局ＵＥは、「ＲＡ  ｒｅｓｐｏｎｓｅ」に応じて、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信する。
【０００７】
ステップＳ２００５において、無線基地局ｅＮＢは、「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、「ＲＲＣ  ｃｏｎｎｅｃｔｉｏｎ  ｒｅ-ｅｓｔａｂｌｉｓｈｍｅｎｔ」を送信する。
【０００８】
ここで、無線基地局ｅＮＢは、「ＲＲＣ  ｃｏｎｎｅｃｔｉｏｎ  ｒｅ-ｅｓｔａｂｌｉｓｈｍｅｎｔ」を用いて、移動局ＵＥに対して、ＳＲＢ１（Ｓｉｇｎａｌｌｉｎｇ  Ｒａｄｉｏ  Ｂｅａｒｅｒ  １）を設定するように指示する。
【０００９】
ステップＳ２００６において、移動局ＵＥは、「ＲＲＣ  ｃｏｎｎｅｃｔｉｏｎ  ｒｅ-ｅｓｔａｂｌｉｓｈｍｅｎｔ」に応じて、ＳＲＢ１の設定処理を行い、無線基地局ｅＮＢに対して、「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信する。
【００１０】
ステップＳ２００７において、無線基地局ｅＮＢは、「ＲＲＣ  ｃｏｎｎｅｃｔｉｏｎ  ｒｅ-ｅｓｔａｂｌｉｓｈｍｅｎｔ  ｃｏｍｐｌｅｔｅ」に応じて、移動局ＵＥに対して、「ＲＲＣ  ｃｏｎｎｅｃｔｉｏｎ  ｒｅｃｏｎｆｉｇｕｒａｔｉｏｎ」を送信する。
【００１１】
ここで、無線基地局ｅＮＢは、「ＲＲＣ  ｃｏｎｎｅｃｔｉｏｎ  ｒｅｃｏｎｆｉｇｕｒａｔｉｏｎ」を用いて、移動局ＵＥに対して、ＳＲＢ２及びＤＲＢ（Ｄａｔａ  Ｒａｄｉｏ  Ｂｅａｒｅｒ）を設定するように指示する。
【００１２】
ステップＳ２００８において、移動局ＵＥは、「ＲＲＣ  ｃｏｎｎｅｃｔｉｏｎ  ｒｅｃｏｎｆｉｇｕｒａｔｉｏｎ」に応じて、ＳＲＢ２及びＤＲＢの設定処理を行い、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００１３】
ステップＳ２００９において、移動局ＵＥと無線基地局ｅＮＢとの間で、Ｕ-ｐｌａｎｅが導通する。
【先行技術文献】
【非特許文献】
【００１４】
【非特許文献１】３ＧＰＰ  ３６.３００
【発明の概要】
【発明が解決しようとする課題】
【００１５】
ここで、本発明者は、以下のような問題点を発見し、かかる問題点を解決することを考えた。
【００１６】
上述のように、従来の「ＲＲＣ  Ｒｅ-ｅｓｔａｂｌｉｓｈｍｅｎｔ手順」はは、「ＲＲＣ  ｃｏｎｎｅｃｔｉｏｎ  ｒｅｃｏｎｆｉｇｕｒａｔｉｏｎ手順（ステップＳ２００７及びＳ２００８）」を含んでいる。
【００１７】
したがって、従来の「ＲＲＣ  Ｒｅ-ｅｓｔａｂｌｉｓｈｍｅｎｔ手順」では、Ｕ-ｐｌａｎｅの導通までに時間が掛かり、下りリンクにおける制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の浪費に繋がってしまう可能性があるという問題点があった。
【００１８】
ここで、かかる「ＲＲＣ  ｃｏｎｎｅｃｔｉｏｎ  ｒｅｃｏｎｆｉｇｕｒａｔｉｏｎ手順」は、無線基地局ｅＮＢと移動局ＵＥとの間で、ＳＲＢ２及びＤＲＢを確立することのみを目的としている。
【００１９】
一方、図６に、ＲＲＣ_Ｉｄｌｅ状態からＲＲＣ_Ｃｏｎｎｅｃｔｅｄ状態に遷移する際に行われる「Ｉｎｉｔｉａｌ  Ａｃｃｅｓｓ手順」におけるシーケンスを示す。
【００２０】
ＬＴＥ方式では、「Ｉｎｉｔｉａｌ  Ａｃｃｅｓｓ手順」では、全く無線リンク（ＲＲＣコネクション）が確立されていない状態から確立されていない状態からＳＲＢ１/ＳＲＢ２/ＤＲＢを確立する必要があるため、「ＲＲＣ  ｃｏｎｎｅｃｔｉｏｎ  ｒｅｃｏｎｆｉｇｕｒａｔｉｏｎ手順」が必要となる。
【００２１】
ＬＴＥ方式では、「ＲＲＣ  Ｒｅ-ｅｓｔａｂｌｉｓｈｍｅｎｔ手順」におけるシーケンスは、「Ｉｎｉｔｉａｌ  Ａｃｃｅｓｓ手順」におけるシーケンスを参考にしたと考えられる。
【００２２】
したがって、「ＲＲＣ  Ｒｅ-ｅｓｔａｂｌｉｓｈｍｅｎｔ手順」において、「ＲＲＣ  ｃｏｎｎｅｃｔｉｏｎ  ｒｅｃｏｎｆｉｇｕｒａｔｉｏｎ手順」を用いることなく、ＳＲＢ２及びＤＲＢを確立することができれば、「ＲＲＣ  ｃｏｎｎｅｃｔｉｏｎ  ｒｅｃｏｎｆｉｇｕｒａｔｉｏｎ手順」を省略することができ、Ｕ-ｐｌａｎｅの導通までに時間を短縮することができ、下りリンクにおける制御チャネル（ＰＤＣＣＨ）の浪費を回避することができると考えられる。
【００２３】
そこで、本発明は、上述の課題に鑑みてなされたものであり、「ＲＲＣ  Ｒｅ-ｅｓｔａｂｌｉｓｈｍｅｎｔ手順」において、Ｕ-ｐｌａｎｅの導通までに時間を短縮することができ、下りリンクにおける制御チャネル（ＰＤＣＣＨ）の浪費を回避することができる移動通信方法、無線基地局及び移動局を提供することを目的とする。
【課題を解決するための手段】
【００２４】
本発明の第１の特徴は、移動通信方法であって、移動局が、再接続手順を起動することを決定すると、無線基地局に対して、ランダムアクセスプリアンブルを送信する工程と、前記無線基地局が、前記ランダムアクセスプリアンブルに応じて、前記移動局に対して、ランダムアクセス応答を送信する工程と、前記移動局が、前記ランダムアクセス応答に応じて、前記無線基地局に対して、再接続要求を送信する工程と、前記無線基地局が、前記再接続要求に応じて、前記移動局に対して、シグナリング無線ベアラと共にデータ無線ベアラを設定するように指示する再接続応答を送信する工程とを有することを要旨とする。
【００２５】
本発明の第２の特徴は、無線基地局であって、再接続手順において、移動局から再接続要求を受信するように構成されている受信部と、前記再接続要求に応じて、前記移動局に対して、シグナリング無線ベアラと共にデータ無線ベアラを設定するように指示する再接続応答を送信するように構成されている送信部とを具備することを要旨とする。
【００２６】
本発明の第３の特徴は、移動局であって、再接続手順において、無線基地局から再接続応答を受信するように構成されている受信部と、前記再接続応答に含まれている指示に応じて、シグナリング無線ベアラと共にデータ無線ベアラを設定するように構成されている設定部とを具備することを要旨とする。
【発明の効果】
【００２７】
以上説明したように、本発明によれば、「ＲＲＣ  Ｒｅ-ｅｓｔａｂｌｉｓｈｍｅｎｔ手順」において、Ｕ-ｐｌａｎｅの導通までに時間を短縮することができ、下りリンクにおける制御チャネル（ＰＤＣＣＨ）の浪費を回避することができる移動通信方法、無線基地局及び移動局を提供することができる。
【図面の簡単な説明】
【００２８】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【図５】従来技術を説明するための図である。
【図６】従来技術を説明するための図である。
【発明を実施するための形態】
【００２９】
（本発明の第１の実施形態に係る移動通信システム）
図１乃至図４を参照して、本発明の第１の実施形態に係る移動通信システムについて説明する。
【００３０】
本実施形態に係る移動通信システムは、ＬＴＥ方式の移動通信システムであって、図１に示すように、無線基地局ｅＮＢと、移動局ＵＥとを具備している。
【００３１】
本実施形態に係る移動通信システムでは、移動局ＵＥは、無線基地局ｅＮＢ配下のセルにおいてＲＲＣ_Ｃｏｎｎｅｃｔｅｄ状態であるものとする。
【００３２】
図２に示すように、本実施形態に係る移動局ＵＥは、再接続手順実行部１１と、送信部１２と、受信部１３とを具備している。
【００３３】
再接続手順実行部１１は、所定トリガを検出した場合に、移動局ＵＥと無線基地局ｅＮＢとの間で確立されている無線リンクについての再接続手順である「ＲＲＣ  Ｒｅ-ｅｓｔａｂｌｉｓｈｍｅｎｔ手順」を実行するように構成されている。
【００３４】
例えば、再接続手順実行部１１は、移動局ＵＥと無線基地局ｅＮＢとの間で確立されている無線リンクにおいてＲＬＦを検出した場合、「ＲＲＣ  Ｒｅ-ｅｓｔａｂｌｉｓｈｍｅｎｔ手順」を実行するように構成されている。
【００３５】
送信部１２は、無線基地局ｅＮＢに対して各種信号を送信するように構成されており、受信部１３は、無線基地局ｅＮＢから各種信号を受信するように構成されている。
【００３６】
例えば、送信部１２は、「ＲＲＣ  Ｒｅ-ｅｓｔａｂｌｉｓｈｍｅｎｔ手順」において、無線基地局ｅＮＢに対して、「ＲＡ  ｐｒｅａｍｂｌｅ」や「ＲＲＣ  ｃｏｎｎｅｃｔｉｏｎ  ｒｅ-ｅｓｔａｂｌｉｓｈｍｅｎｔ  ｒｅｑｕｅｓｔ」や「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信するように構成されている。
【００３７】
また、受信部１３は、「ＲＲＣ  Ｒｅ-ｅｓｔａｂｌｉｓｈｍｅｎｔ手順」において、無線基地局ｅＮＢから、「ＲＡ  ｒｅｓｐｏｎｓｅ」や「ＲＲＣ  ｃｏｎｎｅｃｔｉｏｎ  ｒｅ-ｅｓｔａｂｌｉｓｈｍｅｎｔ」を受信するように構成されている。
【００３８】
ここで、再接続手順実行部１１は、受信部１３によって受信された「ＲＲＣ  ｃｏｎｎｅｃｔｉｏｎ  ｒｅ-ｅｓｔａｂｌｉｓｈｍｅｎｔ」に含まれている指示に応じて、ＳＲＢ１/ＳＲＢ２と共にＤＲＢを設定するように構成されている。
【００３９】
図３に示すように、本実施形態に係る無線基地局ｅＮＢは、受信部２１と、送信部２２とを具備している。
【００４０】
受信部２１は、移動局ＵＥから各種信号を受信するように構成されており、送信部２２は、移動局ＵＥに対して各種信号を送信するように構成されている。
【００４１】
例えば、受信部２１は、「ＲＲＣ  Ｒｅ-ｅｓｔａｂｌｉｓｈｍｅｎｔ手順」において、移動局ＵＥから、「ＲＡ  ｐｒｅａｍｂｌｅ」や「ＲＲＣ  ｃｏｎｎｅｃｔｉｏｎ  ｒｅ-ｅｓｔａｂｌｉｓｈｍｅｎｔ  ｒｅｑｕｅｓｔ」や「ＲＲＣ  ｃｏｎｎｅｃｔｉｏｎ  ｒｅ-ｅｓｔａｂｌｉｓｈｍｅｎｔ  ｃｏｍｐｌｅｔｅ」を受信するように構成されている。
【００４２】
送信部２２は、「ＲＲＣ  Ｒｅ-ｅｓｔａｂｌｉｓｈｍｅｎｔ手順」において、移動局ＵＥに対して、「ＲＡ  ｒｅｓｐｏｎｓｅ」や「ＲＲＣ  ｃｏｎｎｅｃｔｉｏｎ  ｒｅ-ｅｓｔａｂｌｉｓｈｍｅｎｔ」を送信するように構成されている。
【００４３】
ここで、送信部２２は、受信部２１によって受信された「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、ＳＲＢ１/ＳＲＢ２と共にＤＲＢを設定するように指示する「ＲＲＣ  ｃｏｎｎｅｃｔｉｏｎ  ｒｅ-ｅｓｔａｂｌｉｓｈｍｅｎｔ」を送信するように構成されている。
【００４４】
一方、送信部２２は、「Ｉｎｉｔｉａｌ  Ａｃｃｅｓｓ手順」において受信部２１によって受信された「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、ＳＲＢ１のみを設定するように指示する「ＲＲＣ  ｃｏｎｎｅｃｔｉｏｎ  ｒｅ-ｅｓｔａｂｌｉｓｈｍｅｎｔ」を送信するように構成されている。
【００４５】
また、送信部２２は、「Ｉｎｉｔｉａｌ  Ａｃｃｅｓｓ手順」において受信部２１によって受信された「ＲＲＣ  ｃｏｎｎｅｃｔｉｏｎ  ｒｅ-ｅｓｔａｂｌｉｓｈｍｅｎｔ  ｃｏｍｐｌｅｔｅ」に応じて、移動局ＵＥに対して、ＳＲＢ２及びＤＲＢを設定するように指示する「ＲＲＣ  ｃｏｎｎｅｃｔｉｏｎ  ｒｅｃｏｎｆｉｇｕｒａｔｉｏｎ」を送信するように構成されている。
【００４６】
以下、図４を参照して、本実施形態に係る移動通信システムの動作について説明する。
【００４７】
図４に示すように、移動局ＵＥは、ステップＳ１００１において、無線基地局ｅＮＢとの間の無線リンクにおける異常（ＲＬＦ）を検出すると、「ＲＲＣ  Ｒｅ-ｅｓｔａｂｌｉｓｈｍｅｎｔ手順」を起動することを決定し、ステップＳ１００２において、無線基地局ｅＮＢに対して、「ＲＡ  ｐｒｅａｍｂｌｅ」を送信する。
【００４８】
ステップＳ１００３において、無線基地局ｅＮＢは、「ＲＡ  ｐｒｅａｍｂｌｅ」に応じて、移動局ＵＥに対して、「ＲＡ  ｒｅｓｐｏｎｓｅ」を送信する。
【００４９】
ステップＳ１００４において、移動局ＵＥは、「ＲＡ  ｒｅｓｐｏｎｓｅ」に応じて、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信する。
【００５０】
ステップＳ１００５において、無線基地局ｅＮＢは、「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、「ＲＲＣ  ｃｏｎｎｅｃｔｉｏｎ  ｒｅ-ｅｓｔａｂｌｉｓｈｍｅｎｔ」を送信する。
【００５１】
ここで、無線基地局ｅＮＢは、「ＲＲＣ  ｃｏｎｎｅｃｔｉｏｎ  ｒｅ-ｅｓｔａｂｌｉｓｈｍｅｎｔ」を用いて、移動局ＵＥに対して、ＳＲＢ１に加えてＳＲＢ２及びＤＲＢを設定するように指示する。
【００５２】
ステップＳ１００６において、移動局ＵＥは、「ＲＲＣ  ｃｏｎｎｅｃｔｉｏｎ  ｒｅ-ｅｓｔａｂｌｉｓｈｍｅｎｔ」に応じて、ＳＲＢ１/ＳＲＢ２/ＤＲＢの設定処理を行い、無線基地局ｅＮＢに対して、「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信する。
【００５３】
その後、「ＲＲＣ  ｃｏｎｎｅｃｔｉｏｎ  ｒｅｃｏｎｆｉｇｕｒａｔｉｏｎ手順」を行うことなく、ステップＳ１００９において、移動局ＵＥと無線基地局ｅＮＢとの間で、Ｕ-ｐｌａｎｅが導通する。
【００５４】
本実施形態に係る移動通信システムによれば、「ＲＲＣ  Ｒｅ-ｅｓｔａｂｌｉｓｈｍｅｎｔ手順」を行う際に、「ＲＲＣ  ｃｏｎｎｅｃｔｉｏｎ  ｒｅｃｏｎｆｉｇｕｒａｔｉｏｎ手順」を行うことなく、無線基地局ｅＮＢが、移動局ＵＥに対して、「ＲＲＣ  ｃｏｎｎｅｃｔｉｏｎ  ｒｅ-ｅｓｔａｂｌｉｓｈｍｅｎｔ」を用いて、ＳＲＢ１に加えてＳＲＢ２及びＤＲＢを設定するように指示することができる。
【００５５】
その結果、「ＲＲＣ  Ｒｅ-ｅｓｔａｂｌｉｓｈｍｅｎｔ手順」において、Ｕ-ｐｌａｎｅの導通までに時間を短縮することができ、下りリンクにおける制御チャネル（ＰＤＣＣＨ）の浪費を回避することができる。
【００５６】
以上に述べた本実施形態の特徴は、以下のように表現されていてもよい。
【００５７】
本実施形態の第１の特徴は、移動通信方法であって、移動局ＵＥが、「ＲＲＣ  Ｒｅ-ｅｓｔａｂｌｉｓｈｍｅｎｔ手順（再接続手順）」を起動することを決定すると、無線基地局ｅＮＢに対して、「ＲＡ  ｐｒｅａｍｂｌｅ（ランダムアクセスプリアンブル）」を送信する工程と、無線基地局ｅＮＢが、「ＲＡ  ｐｒｅａｍｂｌｅ」に応じて、移動局ＵＥに対して、「ＲＡ  ｒｅｓｐｏｎｓｅ（ランダムアクセス応答）」を送信する工程と、移動局ＵＥが、「ＲＡ  ｒｅｓｐｏｎｓｅ」に応じて、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ（再接続要求）」を送信する工程と、無線基地局ｅＮＢが、「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、ＳＲＢ１/ＳＲＢ２（シグナリング無線ベアラ）と共にＤＲＢ（データ無線ベアラ）を設定するように指示する「ＲＲＣ  ｃｏｎｎｅｃｔｉｏｎ  ｒｅ-ｅｓｔａｂｌｉｓｈｍｅｎｔ（再接続応答）」を送信する工程とを有することを要旨とする。
【００５８】
本実施形態の第２の特徴は、無線基地局ｅＮＢであって、「ＲＲＣ  Ｒｅ-ｅｓｔａｂｌｉｓｈｍｅｎｔ手順」において、移動局ＵＥから「ＲＲＣ  ｃｏｎｎｅｃｔｉｏｎ  ｒｅ-ｅｓｔａｂｌｉｓｈｍｅｎｔ  ｒｅｑｕｅｓｔ」を受信するように構成されている受信部２１と、「ＲＲＣ  ｃｏｎｎｅｃｔｉｏｎ  ｒｅ-ｅｓｔａｂｌｉｓｈｍｅｎｔ  ｒｅｑｕｅｓｔ」に応じて、移動局ＵＥに対して、ＳＲＢ１/ＳＲＢ２と共にＤＲＢを設定するように指示する「ＲＲＣ  ｃｏｎｎｅｃｔｉｏｎ  ｒｅ-ｅｓｔａｂｌｉｓｈｍｅｎｔ」を送信するように構成されている送信部２２とを具備することを要旨とする。
【００５９】
本実施形態の第３の特徴は、移動局ＵＥであって、「ＲＲＣ  Ｒｅ-ｅｓｔａｂｌｉｓｈｍｅｎｔ手順」において、無線基地局ｅＮＢから「ＲＲＣ  ｃｏｎｎｅｃｔｉｏｎ  ｒｅ-ｅｓｔａｂｌｉｓｈｍｅｎｔ  ｃｏｍｐｌｅｔｅ」を受信するように構成されている受信部１３と、「ＲＲＣ  ｃｏｎｎｅｃｔｉｏｎ  ｒｅ-ｅｓｔａｂｌｉｓｈｍｅｎｔ」に含まれている指示に応じて、ＳＲＢ１/ＳＲＢ２と共にＤＲＢを設定するように構成されている再接続手順実行部１１（設定部）とを具備することを要旨とする。
【００６０】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
ｅＮＢ…無線基地局
ＵＥ…移動局
１１…再接続手順実行部
１２、２２…送信部
１３、２１…受信部
【図１】
2014107798.tif 000003
【図２】
2014107798.tif 000004
【図３】
2014107798.tif 000005
【図４】
2014107798.tif 000006
【図５】
2014107798.tif 000007
【図６】
2014107798.tif 000008